(57)【要約】      （修正有）【課題】ＤＣ型ファンを組み込むと共に、温度又は湿度の変化に追従して、該ＤＣ型ファンを駆動制御可能な強制冷却システムを安価に提供可能とすること。【解決手段】電気機器を収納するボックスと、該ボックス内に出入りする空気量を強制的に調整するためのファンと、該ファンを駆動制御することによりボックス内の温度又は湿度を所定の範囲に制御する強制冷却システムにおいて、該ファンは直流駆動型ファンであり、外部交流電源からの電力を所定の直流電圧に変換するスイッチング電源と、該スイッチング電源から該所定の直流電圧の供給を受け、該ファンの電力供給を制御するファン制御手段と、該ボックス内の温度又は湿度を検知する検知手段とを有し、該ファン制御手段は、該検知手段からの検知出力に連動して、該ファンへ供給する電力を制御することを特徴とする。【選択図】図２
0003131988.tif 000002
【実用新案登録請求の範囲】
【請求項１】
電気機器を収納するボックスと、該ボックス内に出入りする空気量を強制的に調整するためのファンと、該ファンを駆動制御することによりボックス内の温度又は湿度を所定の範囲に制御する強制冷却システムにおいて、
該ファンは直流駆動型ファンであり、
外部交流電源からの電力を所定の直流電圧に変換するスイッチング電源と、
該スイッチング電源から該所定の直流電圧の供給を受け、該ファンの電力供給を制御するファン制御手段と、
該ボックス内の温度又は湿度を検知する検知手段とを有し、
該ファン制御手段は、該検知手段からの検知出力に連動して、該ファンへ供給する電力を制御することを特徴とする強制冷却システム。
【請求項２】
請求項１に記載の強制冷却システムにおいて、該ファン制御手段は、該検知手段からの検知出力と基準値とを比較し、その比較結果により該ファンへ供給する電力を制御することを特徴とする強制冷却システム。
【請求項３】
請求項２に記載の強制冷却システムにおいて、該基準値の設定・変更を可能とする動作条件設定手段を有していることを特徴とする強制冷却システム。
【請求項４】
請求項１乃至３のいずれかに記載の強制冷却システムにおいて、該電気機器はＶＤＳＬユニットであることを特徴とする強制冷却システム。
【考案の詳細な説明】
【技術分野】
【０００１】
本考案は、強制冷却システムに関し、特に、電気機器を収納するボックスと、該ボックス内に出入りする空気量を強制的に調整するためのファンと、該ファンを駆動制御することによりボックス内の温度又は湿度を所定の範囲に制御する強制冷却システムに関する。
【背景技術】
【０００２】
従来、電気機器や精密機器を収納したボックス内を所定の温度や湿度に維持するため、該ボックスに換気用ファンを設置し、該ファンを駆動制御することが行なわれている。特に、ＶＤＳＬ（Very high−bit−rate Digital Subscriber Line）ユニットを収容したキャビネットには、通常、ＡＣ型の換気用ファンが設置されている。
【０００３】
しかしながら、ＡＣ型ファンは、一般的に同サイズのＤＣ型ファンと比較すると、ＡＣ型ファンよりＤＣ型ファンの方が消費電力が少なく、最大風量が大きい。このため、省エネルギーの観点から、ＤＣ型ファンを用いることが好ましい。
【０００４】
他方、キャビネットなどのボックスへの電力供給は、通常はＡＣ１００Ｖが主流であるため、仮に、ＤＣ型ファンを稼動させるためには、コンバータ機器やスイッチング電源などの電源調整器が必要となる。しかも、電源調整器とＤＣ型ファンを組み込んだパネルが市販されているが、ＤＣ型ファンをボックス内の温度や湿度の制御に用いる場合には、別途、温度設定・判断回路などの制御回路を組み込む必要があり、装置全体の高コスト化や製造の煩雑化を招いていた。
【考案の開示】
【考案が解決しようとする課題】
【０００５】
本考案が解決しようとする課題は、上述した問題を解決するため、ＤＣ型ファンを組み込むと共に、温度又は湿度の変化に追従して、該ＤＣ型ファンを駆動制御可能な強制冷却システムを安価に提供可能とすることである。
【課題を解決するための手段】
【０００６】
請求項１に係る考案は、電気機器を収納するボックスと、該ボックス内に出入りする空気量を強制的に調整するためのファンと、該ファンを駆動制御することによりボックス内の温度又は湿度を所定の範囲に制御する強制冷却システムにおいて、該ファンは直流駆動型ファンであり、外部交流電源からの電力を所定の直流電圧に変換するスイッチング電源と、該スイッチング電源から該所定の直流電圧の供給を受け、該ファンの電力供給を制御するファン制御手段と、該ボックス内の温度又は湿度を検知する検知手段とを有し、該ファン制御手段は、該検知手段からの検知出力に連動して、該ファンへ供給する電力を制御することを特徴とする。
【０００７】
請求項２に係る考案は、請求項１に記載の強制冷却システムにおいて、該ファン制御手段は、該検知手段からの検知出力と基準値とを比較し、その比較結果により該ファンへ供給する電力を制御することを特徴とする。
【０００８】
請求項３に係る考案は、請求項２に記載の強制冷却システムにおいて、該基準値の設定・変更を可能とする動作条件設定手段を有していることを特徴とする。
【０００９】
請求項４に係る考案は、請求項１乃至３のいずれかに記載の強制冷却システムにおいて、該電気機器はＶＤＳＬユニットであることを特徴とする。
【考案の効果】
【００１０】
請求項１に係る考案により、強制冷却システムが直流駆動型ファンを用い、温度又は湿度を検知する検知手段からの検知出力に連動して、該ファンへ供給する電力を制御するファン制御手段を有するため、省エネルギーにも寄与すると共に、極めて安価に強制冷却システムを提供することが可能となる。
【００１１】
請求項２に係る考案により、ファン制御手段は、温度又は湿度の検知手段からの検知出力と基準値とを比較し、その比較結果によりファンへ供給する電力を制御するため、該基準値に基づき、常に一定の温度又は湿度を維持するようにファンを駆動制御することが可能となる。
【００１２】
請求項３に係る考案により、上記基準値の設定・変更を可能とする動作条件設定手段を有しているため、任意の温度又は湿度の範囲で、ファンの駆動制御をすることが可能となる。
【００１３】
請求項４に係る考案により、強制冷却システムを組み込んだボックス内に収納する電気機器はＶＤＳＬユニットであるため、温度や湿度管理が必要なＶＤＳＬユニットに対し、安価な強制冷却システムを提供することが可能となる。
【考案を実施するための最良の形態】
【００１４】
本考案の強制冷却システムについて、以下に詳細に説明する。
図１は、強制冷却システムを組み込んだボックスの概略図である。以下では、ボックス内に収納する電気機器として、ＶＤＳＬユニットを中心に説明するが、本考案が提供される電気機器がＶＤＳＬユニットに限定されないことは、言うまでもない。
【００１５】
ボックス内には、吸気ファンや排気ファンなどのＤＣ型ファンが設置されている。各ファンには、必要に応じてファンフィルターやファンカバーが設けられている。また、ファンの数は２つに限られず、一つ以上有していれば良い。各ファンは図１に省エネ型強制空冷システムと表記された強制冷却システムを有している。
【００１６】
また、ボックス内には、ＶＤＳＬユニットを取り付ける吊金具や、ＶＤＳＬユニットに電源を供給するためのＯＡタップ、ＯＮＵ（Optical Network Unit）やその設置台が設けられている。
【００１７】
次に、本考案の強制冷却システムの電気回路について説明する。
図２示すように、ファンは直流駆動型ファンであり、例えば、最大定格電流が１８０ｍＡのものが好適に利用可能である。
強制冷却システムには、ＡＣ１００Ｖ（５０／６０Ｈｚ）の外部交流電源が入力され、該交流電源を所定の直流電圧、例えば、ＤＣ１２Ｖに変換するスイッチング電源を有している。スイッチング電源の仕様の一例を、表１に示す。
【００１８】
【表１】
0003131988.tif 000003
【００１９】
スイッチング電源から供給される所定の直流電圧は、三端子レギュレータに入力され、ＤＣ５Ｖ，１００ｍＡに変換される。三端子レギュレータの出力は、温度判定回路に電源供給される。ボックス内の温度を検知する検知手段であるサーミスタが、該温度判定回路に接続され、サーミスタの抵抗値の変化により、ボックス内の雰囲気の温度を検知することが可能なように設定されている。また、サーミスタに代えて湿度を検知するセンサーを配置することも可能である。
【００２０】
本考案で用いるサーミスタの一例としては、負の温度特性(温度が上昇すると抵抗が減少する)ＮＴＣ(negative temperature coefficient)サーミスタが利用される。主な仕様としては、公称ゼロ負荷抵抗値は１０ＫΩ±１％ ( at２５℃ )、Ｂ定数は３４３５Ｋ±１％、抵抗−温度特性は、表２に示すものが利用可能である。
【００２１】
【表２】
0003131988.tif 000004
【００２２】
サーミスタを用いた温度制御の方法の一例は、ＤＣ５Ｖをサーミスタで入力された抵抗値と基板上の抵抗で分圧し、温度比較回路に入力する。温度比較回路のもう一つの入力には、ファンを駆動させたい温度（抵抗分圧による基準電圧）を入力し、両方の入力の比較を行い、基準よりも電圧が低ければファンを駆動する回路構成となっている。
また、ＯＮ時とＯＦＦ時にヒステリシスを設け、微妙な温度判定時の動作のバタツキを防止する回路とすることが、より好ましい。
【００２３】
動作設定温度としては、例えば、約３５．５℃でＯＮし、約３４．５℃でＯＦＦするよう設定できる。なお、ＯＮ／ＯＦＦの設定温度に幅を持たせることにより、ファンの稼動と停止が頻繁に切替わるのを防ぐことができる。
【００２４】
また、図３に示すように、温度・湿度センサにより雰囲気温度等を感知し、該センサの入力信号をマイコンに導入するよう構成することも可能である。このマイコンを使用する場合には、ボックス内を任意の温度又は湿度に設定可能とするため、ファンを駆動させるための上記基準電圧を温度調整（ロータリー）スイッチや湿度調整（ロータリー）スイッチなどで、設定可能としている。なお、これらの各種設定スイッチや該スイッチの動作に対応してファンの動作条件を変更する回路を動作条件設定手段と言う。
【００２５】
また、ボックス内の温度や湿度を表示したり、設定されている温度や湿度を表示するため、表示装置を設けることも可能である。なお、温度と湿度との間で表示を切り換えるため、必要に応じて表示切替スイッチを設けることができる。
【００２６】
実際に、ＤＣ５Ｖを温度センサに入力すると共に、基準温度となる基準電圧に使用した場合でも、殆ど消費電流は掛からない。また、温度比較回路とファン駆動回路にＤＣ１２Ｖを使用した場合、待機時とファン駆動時（２個出力の場合）のユニット全体の消費電力は、待機時が約３Ｗであり、ファン駆動時でも約８．５Ｗ程度である。
【００２７】
また、必要に応じて図２の温度判定回路や図３のマイコンに、強制ＯＮスイッチを接続し、強制的にファンを駆動するように構成することも可能である。
【産業上の利用可能性】
【００２８】
本考案により、ＤＣ型ファンを組み込むと共に、温度又は湿度の変化に追従して、該ＤＣ型ファンを駆動制御可能な強制冷却システムを安価に提供可能とすることが可能となる。
【図面の簡単な説明】
【００２９】
【図１】本考案の強制冷却システムを組み込んだボックスの概略図である。
【図２】本考案の強制冷却システムの電気回路の一例を示す図である。
【図３】本考案の強制冷却システムの電気回路の他の例を示す図である。
【図１】
0003131988.tif 000005
【図２】
0003131988.tif 000006
【図３】
0003131988.tif 000007